(57)【要約】      （修正有）【課題】同一のインターフェースの両面接触式ＵＳＢメス台に挿入して接続できるＵＳＢ探知モジュールを提供する。【解決手段】ＵＳＢ探知モジュール１０は、ＵＳＢメス台２０に電気的に連接し、ＵＳＢメス台２０を各伝送端子２１の伝送モードに切り換え、探知モジュール１０は少なくとも、給電コントロールユニット、アウトプットユニット１２、探知ユニット、演算ユニット及びアウトプットコントロールユニットを備える。給電コントロールユニットは電源を受け取り、アウトプットユニット１２は、給電コントロールユニット及びＵＳＢメス台２０の各伝送端子２１とそれぞれ連接し、探知ユニットは給電コントロールユニット及びアウトプットユニット１２とそれぞれ連接し、アウトプットユニット１２を通して各伝送端子２１に対して探知を行い、しかも探知信号を取得する。【選択図】図１
0003191319.tif 000002
【実用新案登録請求の範囲】
【請求項１】
USB探知モジュールは、USBメス台に電気的に連接し、該USBメス台を各伝送端子の伝送モードに切り換え、
探知モジュールは、少なくとも給電コントロールユニット、アウトプットユニット、探知ユニット、演算ユニット、アウトプットコントロールユニットを備え、
前記給電コントロールユニットは、電源を受け取り、
前記アウトプットユニットは、前記給電コントロールユニット及び前記USBメス台の各伝送端子と、それぞれ連接し、
前記探知ユニットは、前記給電コントロールユニット及び前記アウトプットユニットと、それぞれ連接し、前記給電コントロールユニットが受け取った電源を、探知電流に転換し、探知電流により、前記アウトプットユニットを通して、各伝送端子に対して探知を行い、しかも探知信号を取得し、
前記演算ユニットは、前記給電コントロールユニット及び前記探知ユニットと、それぞれ連接し、探知信号を受取り、演算して比較対照し、コントロール信号を取得し、
前記アウトプットコントロールユニットは、前記給電コントロールユニット及び前記アウトプットユニットと、それぞれ連接し、前記アウトプットコントロールユニットにより、コントロール信号を受取り、対応するコントロール信号の伝送モードに切り換え、前記給電コントロールユニットにより、前記アウトプットユニットをコントロールし、伝送モードに応じて伝送させることを特徴とするUSB探知モジュール。
【請求項２】
前記USB探知モジュールは、回路板に電気的に連接し、
前記USBメス台は、前記回路板に電気的に連接することを特徴とする請求項１に記載のUSB探知モジュール。
【請求項３】
前記アウトプットユニットは、前記回路板上に位置する電気接続部であることを特徴とする請求項２に記載のUSB探知モジュール。
【請求項４】
前記電気接続部は、前記回路板の穿孔構造に通して設置し、前記USBメス台各伝送端子を通して固定することを特徴とする請求項３に記載のUSB探知モジュール。
【請求項５】
前記回路板にはさらに、少なくとも１個の定位孔を設置し、
前記USBメス台は、前記定位孔に相対して設置する定位部に設置することを特徴とする請求項２〜４に記載のUSB探知モジュール。
【考案の詳細な説明】
【技術分野】
【０００１】
本考案はUSB探知モジュールに関し、特に同一のインターフェースの両面接触式USBメス台に挿入して接続できる探知モジュールであるUSB探知モジュールに関する。
【背景技術】
【０００２】
テクノロジーの進歩に従い、コンピューターは広く普及している。
しかも、迅速に発展するコンピューター周辺の電子装置に対応するため、異なる伝送インターフェースを備える周辺電子装置にコンピューターを連接し、データを伝送するさまざまな種類のコネクターも生み出されている。
【０００３】
一般には、コネクターは、コネクターオス台、及びオス台に対応するコネクターメス台を備える。
連接インターフェースが異なるオス台及びメス台は、相互に挿入して接続することができない。
しかも、オス台とメス台を挿入して接続する時には、一定の方向に従う必要がある。
もし、方向を誤まると、オス台とメス台を接続して使用することはできない。
【０００４】
USB(Universal Serial Bus)コネクターにおいては、USBオス台とUSBメス台内部には共に、舌部を設置する。
そのため、挿入方向を誤まれば、オス台の舌部とメス台の舌部とはぶつかり合い、オス台をメス台中に挿入することはできない。
【０００５】
一般の使用者にとっては、フールプルーフ効果として歓迎されるが、このような使用形態をフレキシブル性がなく、非常に不便だと感じる使用者もいる。
しかも、使用者は通常はホットスワッピングで使用するため、挿入できない確率が1/2であれば二回挿入することも多く、使用上の不便となっている。
【０００６】
そのため、市場では、両面挿入が可能なコネクターメス台も見られる。
同構造は、コネクターメス台の舌部を、コネクターの中央位置に設置することで、コネクターを上収容設置区と下収容設置区に区画し、しかも上部及び下部には、連接端子をそれぞれ設置する。
こうして、コネクターオス台正面とメス台を挿入して接続する時、オス台の舌部は、メス台の上収容設置区に挿入され、上収容設置区中の連接端子と電気的に連接する。
また、オス台反対面とメス台とを挿入して接続する時には、オス台の舌部は、メス台の下収容設置区に挿入され、下収容設置区中の連接端子と電気的に連接する。
これにより、オス台が正面形態であっても、反対面形態であっても、メス台に挿入すれば、必ずスムーズに挿入され、しかも電気的連接を形成することができる。
上述のコネクターメス台中には、二組の連接端子を設置するため、生産コストが従来のコネクターメス台よりもはるかに高くなってしまい、しかも、コネクターメス台の体積も比較的大きい。
本考案は、従来のUSBの上記した欠点に鑑みてなされたものである。
【考案の概要】
【考案が解決しようとする課題】
【０００７】
本考案が解決しようとする課題は、同一のインターフェースの両面接触式USBメス台に挿入して接続できる探知モジュールであるUSB探知モジュールを提供することである。
【課題を解決するための手段】
【０００８】
上記課題を解決するため、本考案は下記のUSB探知モジュールを提供する。
USB探知モジュールは、USBメス台を電気的に連接し、該USBメス台を各伝送端子の伝送モードに切り換え、
探知モジュールは、少なくとも給電コントロールユニット、アウトプットユニット、探知ユニット、演算ユニット及びアウトプットコントロールユニットを備え、
該給電コントロールユニットは、電源を受け取り、
該アウトプットユニットは、該給電コントロールユニット及び該USBメス台各伝送端子と、それぞれ連接し、
該探知ユニットは、該給電コントロールユニット及び該アウトプットユニットと、それぞれ連接し、
該アウトプットユニットを通して、各伝送端子に対して探知を行い、しかも探知信号を取得し、
該演算ユニットは、該給電コントロールユニット及び該探知ユニットと、それぞれ連接し、探知信号を受取り、演算して比較対照し、コントロール信号を取得し、
該アウトプットコントロールユニットによりコントロール信号を受け取り、対応するコントロール信号の伝送モードに切り換え、
該給電コントロールユニットにより該アウトプットユニットをコントロールし、伝送モードに応じて伝送させる。
【考案の効果】
【０００９】
本考案のUSB探知モジュールは、USBメス台と相対する型式に予め設置するUSBオス台に電気的に連接して挿入し接続する時、正面でUSBメス台に挿入でき、また反対面でUSBメス台に挿入でき、フールプルーフの問題もなく、使用上の利便性を効果的に増強することができる。
【図面の簡単な説明】
【００１０】
【図１】本考案において、USB探知モジュールとUSBメス台の構造分解図である。
【図２】本考案において、USB探知モジュールの構造模式図である。
【考案を実施するための形態】
【００１１】
以下に図面を参照しながら本考案を実施するための最良の形態について詳細に説明する。
【実施例】
【００１２】
図１は、本考案USB探知モジュールとUSBメス台の構造分解図で、図２は、本考案USB探知モジュールの構造模式図である。
図に示すように、本考案のUSB探知モジュール10は、USBメス台20を電気的に連接し、USBメス台20を各伝送端子21の伝送モードに切り換える。
【００１３】
探知モジュール10は、少なくとも給電コントロールユニット11、アウトプットユニット12、探知ユニット13、演算ユニット14及びアウトプットコントロールユニット15を備える。
【００１４】
給電コントロールユニット11は、電源を受け取る。
【００１５】
アウトプットユニット12は、給電コントロールユニット11及びUSBメス台各伝送端子21と、それぞれ連接する。
探知ユニット13は、給電コントロールユニット11及びアウトプットユニット12と、それぞれ連接し、給電コントロールユニット11が受け取った電源を、探知電流に転換する。
並びに、探知電流により、アウトプットユニット12を通して、各伝送端子21に対して探知を行い、しかも探知信号を取得する。
【００１６】
演算ユニット14は、給電コントロールユニット11及び探知ユニット13と、それぞれ連接し、探知信号を受取り、演算して比較対照し、コントロール信号を取得する。
【００１７】
アウトプットコントロールユニット15は、給電コントロールユニット11及びアウトプットユニット12と、それぞれ連接し、アウトプットコントロールユニット15により、コントロール信号を受取り、対応するコントロール信号の伝送モードに切り換え、アウトプットユニット12をコントロールし、伝送モードに応じて伝送させる。
【００１８】
図示の実施形態において、USB探知モジュール10は、回路板30に電気的に連接し、USBメス台20は、回路板30に電気的に連接する。
アウトプットユニット12は、回路板30上に位置する電気接続部で、電気接続部は、回路板の穿孔構造に通して設置し、USBメス台各伝送端子21を通して溶接し固定する。
【００１９】
回路板30にはさらに、少なくとも１個の定位孔31を設置し、USBメス台20は、定位孔31に相対して設置する定位部22に設置する。
【００２０】
USB探知モジュール10を設置する回路板30は、電子装置(コンピューター或いは携帯電話端末など)内に設置し、電子装置に電力を供給することができる。
【００２１】
USBメス台20と相対する型式に予め設置するUSBオス台40とが、電気的に挿入して接続する時、先ず、探知ユニット13により、小電流で、アウトプットユニット12を通して、各伝送端子21に対して探知を行い、探知信号を取得する。
【００２２】
演算ユニット14は、探知信号により演算して比較対照し、コントロール信号を取得する。
アウトプットコントロールユニット15により、コントロール信号を受取り、対応するコントロール信号の伝送モードに切り換え、給電コントロールユニット11により、アウトプットユニット12をコントロールし、伝送モードで伝送を行わせる。
【００２３】
例えば、アウトプットコントロールユニット15は、正方向アウトプットの伝送モードに切り換え、給電コントロールユニット11に、電力を提供させる。
これにより、アウトプットユニット12は、各伝送端子21に対して、電力或いは信号の伝送を行う。
【００２４】
そのため、USBオス台を正面挿入しUSBメス台に接続しようと、反対面挿入してUSBメス台に接続しようと、共に電力或いは信号の伝送を達成でき、フールプルーフの問題もなく、使用上の利便性を効果的に増強することができる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
10  USB探知モジュール
11  給電コントロールユニット
12  アウトプットユニット
13  探知ユニット
14  演算ユニット
15  アウトプットコントロールユニット
20  USBメス台
21  伝送端子
22  定位部
30  回路板
31  定位孔
40  USBオス台
【図１】
0003191319.tif 000003
【図２】
0003191319.tif 000004
【手続補正書】
【提出日】平成26年4月3日(2014.4.3)
【手続補正１】
【補正対象書類名】実用新案登録請求の範囲
【補正対象項目名】請求項５
【補正方法】変更
【補正の内容】
【請求項５】
前記回路板にはさらに、少なくとも１個の定位孔を設置し、
前記USBメス台は、前記定位孔に相対して設置する定位部に設置することを特徴とする請求項２〜４のいずれか一項に記載のUSB探知モジュール。